(57)【要約】【課題】装置の小型化を図ることのできる洗浄装置を得る。【解決手段】洗浄装置１０には、洗浄対象物２２を洗浄する洗浄部１３と、当該洗浄部１３内に液体を導入する導入路１７ｅと、洗浄部１３内の液体を洗浄部１３から排出する排出路１７ａと、を少なくとも有する循環路１８が形成されている。そして、循環路１８の洗浄部１３以外の部位に、電圧を印加することで放電を行う電極５１ａ、５１ｂを設けた。【選択図】図２
2013027812.tif 000002
【特許請求の範囲】
【請求項１】
洗浄対象物を洗浄する洗浄部と、当該洗浄部内に液体を導入する導入路と、前記洗浄部内の液体を洗浄部から排出する排出路と、を少なくとも有する循環路が形成された洗浄装置であって、
前記循環路の前記洗浄部以外の部位に、電圧を印加することで放電を行う電極が設けられていることを特徴とする洗浄装置。
【請求項２】
前記循環路内の液体のうち少なくとも前記電極が設けられた部位近傍の液体は、放電が行われる際に、気泡を含んでいることを特徴とする請求項１に記載の洗浄装置。
【請求項３】
前記電極が前記導入路に設けられていることを特徴とする請求項１または請求項２に記載の洗浄装置。
【請求項４】
前記循環路は、液体を貯留する液体貯留部を有しており、
前記電極が前記液体貯留部に設けられていることを特徴とする請求項１〜３のうちいずれか１項に記載の洗浄装置。
【請求項５】
前記循環路は、液体のうち洗浄水を貯留する洗浄水貯留部を有しており、
前記電極が前記洗浄水貯留部に設けられていることを特徴とする請求項１〜４のうちいずれか１項に記載の洗浄装置。
【請求項６】
前記循環路は、液体を濾過するフィルタ部を有しており、
前記電極が前記フィルタ部に設けられていることを特徴とする請求項１〜５のうちいずれか１項に記載の洗浄装置。
【発明の詳細な説明】
【技術分野】
【０００１】
本発明は、洗浄装置に関する。
【背景技術】
【０００２】
従来より、容器内の水に気体を注入して放電を行うことで気泡にラジカル等を発生させて洗浄水を生成する洗浄装置が知られている（例えば、特許文献１参照）。
【先行技術文献】
【特許文献】
【０００３】
【特許文献１】特開２００１−９４６３号公報
【発明の概要】
【発明が解決しようとする課題】
【０００４】
しかしながら、上記従来の洗浄装置では、容器内の水に非接触状態で対向するように電極を配置したり、容器内の水中で対向するように電極を配置したりすることで、容器内の水を洗浄水に改質させるようにしている。したがって、容器内に洗浄対象物を入れて当該洗浄対象物を洗浄する場合、洗浄対象物を入れる容器に電極の配置スペースを設けねばならず、洗浄装置が大きくなってしまうという問題があった。
【０００５】
そこで、本発明は、装置の小型化を図ることのできる洗浄装置を得ることを目的とする。
【課題を解決するための手段】
【０００６】
本発明にあっては、洗浄対象物を洗浄する洗浄部と、当該洗浄部内に液体を導入する導入路と、前記洗浄部内の液体を洗浄部から排出する排出路と、を少なくとも有する循環路が形成された洗浄装置であって、前記循環路の前記洗浄部以外の部位に、電圧を印加することで放電を行う電極が設けられていることを主要な特徴とする。
【発明の効果】
【０００７】
本発明によれば、洗浄装置に、洗浄対象物を洗浄する洗浄部と、当該洗浄部内に液体を導入する導入路と、洗浄部内の液体を洗浄部から排出する排出路と、を少なくとも有する循環路を形成している。そして、循環路のうち洗浄部以外の部位に、電圧を印加することで放電を行う電極を設けている。そのため、洗浄対象物を洗浄する洗浄部が大型化してしまうのを抑制することができ、洗浄浄化装置の小型化を図ることが可能となる。
【図面の簡単な説明】
【０００８】
【図１】図１は、本発明の第１実施形態にかかる洗浄装置を模式的に示す側断面図である。
【図２】図２は、図１のＡ部の構成を模式的に示す図である。
【図３】図３は、図２の第１変形例にかかる構成を模式的に示す図である。
【図４】図４は、図２の第２変形例にかかる構成を模式的に示す図である。
【図５】図５は、本発明の第２実施形態にかかる洗浄装置を模式的に示す側断面図である。
【図６】図６は、本発明の第２実施形態にかかる洗浄装置の電極の配置構成を模式的に示す図である。
【図７】図７は、図６の第１変形例にかかる構成を模式的に示す図である。
【図８】図８は、図６の第２変形例にかかる構成を模式的に示す図である。
【図９】図９は、本発明の第３実施形態にかかる洗浄装置を模式的に示す側断面図である。
【図１０】図１０は、図９のＢ−Ｂ線に沿った断面図を模式的に示す図である。
【図１１】図１１は、図９の第１変形例にかかる構成を模式的に示す図である。
【図１２】図１２は、図９の第２変形例にかかる構成を模式的に示す図である。
【図１３】図１３は、本発明の第４実施形態にかかる洗浄装置を模式的に示す側断面図である。
【図１４】図１４は、図１３のＣ−Ｃ線に沿った断面図を模式的に示す図である。
【図１５】図１５は、図１４の第１変形例にかかる構成を模式的に示す図である。
【図１６】図１６は、図１４の第２変形例にかかる構成を模式的に示す図である。
【発明を実施するための形態】
【０００９】
以下、本発明の実施形態について図面を参照しつつ詳細に説明する。以下では、洗浄装置として、電気かみそりのヘッド部を洗浄するものを例示する。なお、以下の複数の実施形態には、同様の構成要素が含まれている。よって、以下では、それら同様の構成要素には共通の符号を付与するとともに、重複する説明を省略する。
【００１０】
（第１実施形態）
本実施形態にかかる洗浄浄化装置（洗浄装置）１０は、洗浄浄化装置本体１１と、除毛装置としての電気かみそり２０と、で構成されている。そして、この洗浄浄化装置（洗浄装置）１０は、電気かみそり２０のヘッド部（洗浄対象物）２２、より具体的には、ヘッド部２２に設けられた刃部２２ａを洗浄するものである。
【００１１】
電気かみそり２０は、グリップ部２１とヘッド部２２とから構成されており、ヘッド部２２の先端部には、刃部２２ａが設けられている。
【００１２】
洗浄浄化装置本体１１は、図１に示すように、ヘッド部２２を下向きにした電気かみそり２０を挿入するための受け皿（洗浄部）１３が形成されたハウジング１２を有している。なお、受け皿（洗浄部）１３は、ヘッド部２２の形状に沿うような凹形状をしている。
【００１３】
また、洗浄浄化装置１０には、循環路１８が形成されている。この循環路１８は、電気かみそり２０のヘッド部（洗浄対象物）２２を洗浄する受け皿（洗浄部）１３と、当該受け皿（洗浄部）１３内に洗浄水（液体）を導入する導入路１７ｅと、受け皿（洗浄部）１３内の液体（洗浄中もしくは洗浄後の洗浄水）を受け皿（洗浄部）１３から排出する排出路１７ａと、を少なくとも有している。
【００１４】
本実施形態では、洗浄浄化装置本体１１のハウジング１２内に、液体を濾過するフィルタ１４ａを有したフィルタ部１４が設けられており、このフィルタ部１４は、排出路１７ａを介して受け皿（洗浄部）１３に連設されている。さらに、本実施形態では、受け皿（洗浄部）１３に連通されたオーバーフロー部１７ｂが設けられており、このオーバーフロー部１７ｂを介してフィルタ部１４が受け皿（洗浄部）１３に連設されている。すなわち、オーバーフロー部１７ｂも、受け皿（洗浄部）１３内の液体（洗浄中もしくは洗浄後の洗浄水）を受け皿（洗浄部）１３から排出する排出路としての機能を有している。
【００１５】
また、ハウジング１２内には、洗浄水（液体）を貯留するタンク（洗浄水貯留部）１６が設けられており、このタンク（洗浄水貯留部）１６は、通水路１７ｃ、ポンプ１５、通水路１７ｄを介してフィルタ部１４に連設されている。そして、タンク（洗浄水貯留部）１６は、導入路１７ｅを介して受け皿（洗浄部）１３に連設されており、タンク（洗浄水貯留部）１６内の洗浄水（液体）が受け皿（洗浄部）１３に導入されるようになっている。
【００１６】
そして、受け皿（洗浄部）１３内の液体は、排出路１７ａもしくはオーバーフロー部１７ｂ、フィルタ部１４、通水路１７ｃ、ポンプ１５、通水路１７ｄ、タンク（洗浄水貯留部）１６、導入路１７ｅ、受け皿（洗浄部）１３の順に循環している。
【００１７】
具体的には、ヘッド部（洗浄対象物）２２を洗浄する際には、受け皿（洗浄部）１３内の液体は、排出路１７ａを通ってフィルタ部１４に導入される。なお、受け皿（洗浄部）１３内の水位が上昇した際には、受け皿（洗浄部）１３内の液体は、オーバーフロー部１７ｂを通ってフィルタ部１４に導入される。
【００１８】
そして、フィルタ部１４に導入された液体は、フィルタ１４ａを通過することで濾過され、濾過された液体が通水路１７を通ってポンプ１５に供給される。そして、ポンプ１５にて昇圧された液体が、通水路１７ｄを通ってタンク（洗浄水貯留部）１６内に供給され、タンク（洗浄水貯留部）１６内の液体が導入路１７ｅを通って受け皿（洗浄部）１３内に導入されるようになっている。
【００１９】
このように、本実施形態では、循環路１８は、受け皿（洗浄部）１３、排出路１７ａ、オーバーフロー部１７ｂ、フィルタ部１４、通水路１７ｃ、ポンプ１５、通水路１７ｄ、タンク（洗浄水貯留部）１６および導入路１７ｅを有している。
【００２０】
ここで、本実施形態では、循環路１８の受け皿（洗浄部）１３以外の部位に、電圧を印加することで放電を行う第１電極５１ａおよび第２電極５１ｂを設けている。
【００２１】
具体的には、循環路１８の受け皿（洗浄部）１３以外の部位である導入路１７ｅに第１電極５１ａおよび第２電極５１ｂを設けている。
【００２２】
本実施形態では、図２に示すように、第１電極５１ａおよび第２電極５１ｂは、ともに導入路１７ｅの内側に設けられている。すなわち、第１電極５１ａおよび第２電極５１ｂは、少なくとも互いに対になる側の部分（放電を生じさせる表面）が導入路１７ｅ（循環路１８）内の液体と接触するように配置されている。
【００２３】
この第１電極５１ａおよび第２電極５１ｂは、それぞれリード線を介して電源部５２に電気的に接続されており、第１電極５１ａ、第２電極５１ｂ、リード線および電源部５２でプラズマ放電部５０を構成している。
【００２４】
そして、電源部５２によって、第１電極５１ａと第２電極５１ｂとの間に所定の電圧を印加することで、第１電極５１ａと第２電極５１ｂとの間で放電が生じるようにしている。
【００２５】
なお、図３に示すように、第１電極５１ａおよび第２電極５１ｂの一方の電極（図３では、第１電極５１ａ）を導入路１７ｅの内側、他方の電極（図３では、第２電極５１ｂ）を導入路１７ｅの外側に設けるようにしてもよい。また、図４に示すように、第１電極５１ａおよび第２電極５１ｂを、ともに導入路１７ｅの外側に設けるようにしてもよい。
【００２６】
また、洗浄浄化装置本体１１のハウジング１２内には、外気（空気：気体）を循環路１８内に圧送するためのポンプ３０が設けられており、ポンプ３０に連通された気体通路３１を介して空気（気体）を循環路１８内に圧送させている。
【００２７】
本実施形態では、気体通路３１は導入路１７ｅの第１電極５１ａおよび第２電極５１ｂが設けられた部位の近傍に連通されるようにしている。そして、放電が行われる際に、気体通路３１から導入路１７ｅ内に空気（気体）を送ることで、循環路１８内の液体のうち少なくとも第１電極５１ａおよび第２電極５１ｂが設けられた部位近傍の液体が気泡を含むようにしている。
【００２８】
さらに、気体通路３１は、気体供給口が導入路１７ｅの水の流れる方向とは逆の方向を向くように配置されており、水の流れる方向とは逆の方向に空気（気体）が導入されるようにしている。このように、水の流れる方向とは逆の方向に空気（気体）を導入することで、導入路１７ｅの第１電極５１ａおよび第２電極５１ｂが設けられた部位の近傍に滞在する空気（気体）の量（単位時間あたりの量）を多くすることができる。
【００２９】
さらに、洗浄浄化装置本体１１のハウジング１２内には、電気かみそり２０の洗浄動作（ポンプ１５およびポンプ３０の駆動）や電極１０への電圧印加を制御する制御基板４０が配置されている。
【００３０】
次に、かかる構成とした洗浄浄化装置（洗浄装置）１０の作用を説明する。
【００３１】
まず、受け皿（洗浄部）１３にヘッド部２２を下向きにした電気かみそり２０を挿入する。
【００３２】
そして、循環路１８内の液体を循環させる。このとき、導入路１７ｅ内の液体に空気（気体）を供給しながら、第１電極５１ａおよび第２電極５１ｂに電圧を印加して水中放電を行う。
【００３３】
そして、この放電によって、導入路１７ｅ内の液体中の気体の領域においてプラズマが生成され、液体に含まれる水や気体に含まれる酸素によってオゾンやヒドロキシラジカル等が生成される。こうして生成されたオゾンやヒドロキシラジカル等は、導入路１７ｅ内の液体の流れに伴って受け皿（洗浄部）１３に導入される。
【００３４】
そして、受け皿（洗浄部）１３に導入されたオゾンやヒドロキシラジカル等を含む液体（洗浄水）によって、例えば、ヘッド部２２の刃部２２ａに付着した皮脂等が分解される。
【００３５】
さらに、受け皿（洗浄部）１３に導入された液体は、排出路１７ａやオーバーフロー部１７ｂを通ってフィルタ部１４に導入され、フィルタ部１４のフィルタ１４ａを通過することで、液体中に含まれる髭くず等が除去される（図１３参照）。そして、フィルタ１４ａによって濾過された液体が、ポンプ１５によって昇圧されながらタンク（洗浄水貯留部）１６内に供給され、タンク（洗浄水貯留部）１６内の液体が導入路１７ｅを通って受け皿（洗浄部）１３内に導入される。そして、導入路１７ｅを通る際の水中放電によって、受け皿（洗浄部）１３に洗浄水が導入されることとなる。
【００３６】
以上説明したように、本実施形態では、洗浄浄化装置（洗浄装置）１０に、電気かみそり２０のヘッド部（洗浄対象物）２２を洗浄する受け皿（洗浄部）１３と、当該受け皿（洗浄部）１３内に液体を導入する導入路１７ｅと、受け皿（洗浄部）１３内の液体を受け皿（洗浄部）１３から排出する排出路１７ａと、を少なくとも有する循環路１８を形成している。そして、循環路１８のうち受け皿（洗浄部）１３以外の部位である導入路１７ｅに、電圧を印加することで放電を行う電極（第１電極５１ａおよび第２電極５１ｂ）を設けている。そのため、ヘッド部（洗浄対象物）２２を洗浄する受け皿（洗浄部）１３が大型化してしまうのを抑制することができ、洗浄浄化装置１０の小型化を図ることが可能となる。
【００３７】
また、導入路１７ｅのように細い管径で構成された部位に電極（第１電極５１ａおよび第２電極５１ｂ）を設けることで、電極（第１電極５１ａおよび第２電極５１ｂ）の大きさを小さくすることができ、放電部５０が洗浄浄化装置（洗浄装置）１０に占める割合を小さくすることができ、洗浄浄化装置（洗浄装置）１０自身の小型化を図ることができる。
【００３８】
また、受け皿（洗浄部）１３へ液体を流し込む導入路１７ｅに電極（第１電極５１ａおよび第２電極５１ｂ）を設けることで、新鮮な洗浄水を受け皿（洗浄部）１３に供給することができるようになるという利点がある。
【００３９】
（第２実施形態）
本実施形態にかかる洗浄浄化装置（洗浄装置）１０Ａは、基本的に上記第１実施形態とほぼ同様の構成をしている。すなわち、洗浄浄化装置（洗浄装置）１０Ａは、洗浄浄化装置本体１１と、除毛装置としての電気かみそり２０と、で構成されている。
【００４０】
また、洗浄浄化装置１０Ａには、循環路１８が形成されている。本実施形態においても、循環路１８は、受け皿（洗浄部）１３、排出路１７ａ、オーバーフロー部１７ｂ、フィルタ部１４、通水路１７ｃ、ポンプ１５、通水路１７ｄ、タンク（洗浄水貯留部）１６および導入路１７ｅを有している。
【００４１】
ここで、本実施形態にかかる洗浄浄化装置（洗浄装置）１０Ａが、上記第１実施形態と主に異なる点は、図５および図６に示すように、循環路１８が液体を貯留する液体貯留部１９を有している点にある。
【００４２】
具体的には、液体貯留部１９は、図５に示すように、導入路１７ｅの途中に設けられており、タンク（洗浄水貯留部）１６から受け皿（洗浄部）１３に導入される液体を一時的に貯留できるようにしている。
【００４３】
そして、洗浄浄化装置（洗浄装置）１０Ａも、第１電極５１ａ、第２電極５１ｂ、リード線および電源部５２で構成されたプラズマ放電部５０を備えており、本実施形態においては、第１電極５１ａおよび第２電極５１ｂが、図６に示すように、液体貯留部１９の側壁部１９ａに設けられている。
【００４４】
なお、図６では、第１電極５１ａおよび第２電極５１ｂを液体貯留部１９の内側に設けている。しかしながら、図７に示すように、第１電極５１ａおよび第２電極５１ｂの一方（図７では、第２電極５１ｂ）を液体貯留部１９の内側、他方（図７では、第１電極５１ａ）を液体貯留部１９の外側に設けるようにしてもよい。また、図８に示すように、第１電極５１ａおよび第２電極５１ｂを、ともに液体貯留部１９の外側に設けるようにしてもよい。
【００４５】
そして、液体貯留部１９の底壁部１９ｂには、ポンプ３０に連通された気体通路３１が連通している。
【００４６】
かかる構成とすることで、電気かみそり２０のヘッド部（洗浄対象物）２２を洗浄する際には、液体貯留部１９内において洗浄水（オゾンやヒドロキシラジカル等を含む液体）が生成されて、当該洗浄水が受け皿（洗浄部）１３に導入されることとなる。
【００４７】
以上の本実施形態によっても、上記第１実施形態と同様の作用、効果を奏することができる。
【００４８】
また。本実施形態によれば、第１電極５１ａおよび第２電極５１ｂを循環路１８としての液体貯留部１９に設けているため、あらかじめ洗浄水（オゾンやヒドロキシラジカル等を含む液体）を生成して貯留しておくことができる。その結果、電気かみそり２０のヘッド部（洗浄対象物）２２を洗浄する際に、はじめから洗浄効果の高い洗浄水を受け皿（洗浄部）１３に導入することができるようになり、洗浄時間の短縮を図ることができる。
【００４９】
また、循環路１８に液体貯留部１９を設けることで、第１電極５１ａおよび第２電極５１ｂを大きくすることができ、オゾンやヒドロキシラジカル等の生成効率をより向上させることができる。
【００５０】
（第３実施形態）
本実施形態にかかる洗浄浄化装置（洗浄装置）１０Ｂは、基本的に上記第１実施形態とほぼ同様の構成をしている。すなわち、洗浄浄化装置（洗浄装置）１０Ｂは、洗浄浄化装置本体１１と、除毛装置としての電気かみそり２０と、で構成されている。
【００５１】
また、洗浄浄化装置１０Ｂには、循環路１８が形成されている。本実施形態においても、循環路１８は、受け皿（洗浄部）１３、排出路１７ａ、オーバーフロー部１７ｂ、フィルタ部１４、通水路１７ｃ、ポンプ１５、通水路１７ｄ、タンク（洗浄水貯留部）１６および導入路１７ｅを有している。
【００５２】
そして、洗浄浄化装置（洗浄装置）１０Ｂも、第１電極５１ａ、第２電極５１ｂ、リード線および電源部５２で構成されたプラズマ放電部５０を備えている。
【００５３】
ここで、本実施形態にかかる洗浄浄化装置（洗浄装置）１０Ｂが、上記第１実施形態と主に異なる点は、図９および図１０に示すように、第１電極５１ａおよび第２電極５１ｂが、タンク（洗浄水貯留部）１６に設けられている点にある。
【００５４】
具体的には、タンク（洗浄水貯留部）１６の側壁１６ａの互いに対向する内面に、内側に突出する突壁１６ｂをそれぞれ２つずつ設け、突壁１６ｂで第１電極５１ａおよび第２電極５１ｂを挟持することで、タンク（洗浄水貯留部）１６に第１電極５１ａおよび第２電極５１ｂを設けている。
【００５５】
なお、図１０では、第１電極５１ａおよび第２電極５１ｂの表面（放電を生じさせる表面）がタンク（洗浄水貯留部）１６内の液体と接触するようにしている。しかしながら、図１１に示すように、第１電極５１ａおよび第２電極５１ｂの一方（図１１では、第２電極５１ｂ）をタンク（洗浄水貯留部）１６内の液体と接触するようにし、他方（図１１では、第１電極５１ａ）をタンク（洗浄水貯留部）１６内の液体と接触しないようにしてもよい。このとき、第１電極５１ａの表面は、突壁１６ｂによって覆われることとなる。
【００５６】
また、図１２に示すように、第１電極５１ａおよび第２電極５１ｂを、ともにタンク（洗浄水貯留部）１６内の液体と接触しないようにしてもよい。このとき、第１電極５１ａおよび第２電極５１ｂの表面は、突壁１６ｂによって覆われることとなる。
【００５７】
そして、タンク（洗浄水貯留部）１６の底壁部１６ｃには、ポンプ３０に連通された気体通路３１が連通している。
【００５８】
かかる構成とすることで、電気かみそり２０のヘッド部（洗浄対象物）２２を洗浄する際には、タンク（洗浄水貯留部）１６内において洗浄水（オゾンやヒドロキシラジカル等を含む液体）が生成されて、当該洗浄水が受け皿（洗浄部）１３に導入されることとなる。
【００５９】
以上の本実施形態によっても、上記第１実施形態と同様の作用、効果を奏することができる。
【００６０】
また。本実施形態によれば、第１電極５１ａおよび第２電極５１ｂが、タンク（洗浄水貯留部）１６に設けられているため、液体が循環路１８内を循環していない状態であっても、洗浄水（オゾンやヒドロキシラジカル等を含む液体）を生成することができる。
【００６１】
また、一定量の洗浄水を蓄えることができる。そのため、液体を循環させない状態で電圧を印加することができ、液体を一括して除菌することができる。また、電気かみそり２０のヘッド部（洗浄対象物）２２を洗浄する際に、はじめから洗浄効果の高い洗浄水を受け皿（洗浄部）１３に導入することができるようになり、洗浄時間の短縮を図ることができる。
【００６２】
（第４実施形態）
本実施形態にかかる洗浄浄化装置（洗浄装置）１０Ｃは、基本的に上記第１実施形態とほぼ同様の構成をしている。すなわち、洗浄浄化装置（洗浄装置）１０Ｃは、洗浄浄化装置本体１１と、除毛装置としての電気かみそり２０と、で構成されている。
【００６３】
また、洗浄浄化装置１０Ｃには、循環路１８が形成されている。本実施形態においても、循環路１８は、受け皿（洗浄部）１３、排出路１７ａ、オーバーフロー部１７ｂ、フィルタ部１４、通水路１７ｃ、ポンプ１５、通水路１７ｄ、タンク（洗浄水貯留部）１６および導入路１７ｅを有している。
【００６４】
そして、洗浄浄化装置（洗浄装置）１０Ｃも、第１電極５１ａ、第２電極５１ｂ、リード線および電源部５２で構成されたプラズマ放電部５０を備えている。
【００６５】
ここで、本実施形態にかかる洗浄浄化装置（洗浄装置）１０Ｃが、上記第１実施形態と主に異なる点は、図１３および図１４に示すように、第１電極５１ａおよび第２電極５１ｂが、フィルタ部１４に設けられている点にある。
【００６６】
本実施形態では、フィルタ部１４のフィルタ１４ａの下流側の内面に第１電極５１ａおよび第２電極５１ｂを設けている。なお、フィルタ部１４のフィルタ１４ａの上流側の内面に第１電極５１ａおよび第２電極５１ｂを設けてもよい。
【００６７】
なお、図１４では、第１電極５１ａおよび第２電極５１ｂの表面（放電を生じさせる表面）がタンク（洗浄水貯留部）１６内の液体と接触するようにしている。しかしながら、図１５に示すように、第１電極５１ａおよび第２電極５１ｂの一方（図１５では、第２電極５１ｂ）をフィルタ部１４内の液体と接触するようにし、他方（図１５では、第１電極５１ａ）をフィルタ部１４内の液体と接触しないようにしてもよい。このとき、第１電極５１ａの表面は、フィルタ部１４内に設けられた壁部１４ｂによって覆われることとなる。
【００６８】
また、図１６に示すように、第１電極５１ａおよび第２電極５１ｂを、ともにフィルタ部１４内の液体と接触しないようにしてもよい。このとき、第１電極５１ａおよび第２電極５１ｂの表面は、フィルタ部１４内に設けられた壁部１４ｂによって覆われることとなる。
【００６９】
そして、フィルタ部１４の底壁部１４ｃには、ポンプ３０に連通された気体通路３１が連通している。
【００７０】
かかる構成とすることで、電気かみそり２０のヘッド部（洗浄対象物）２２を洗浄する際には、フィルタ部１４内においてオゾンやヒドロキシラジカル等を含む液体が生成されて、フィルタ１４ａによって濾過された液体の除菌が行われることとなる。
【００７１】
以上の本実施形態によっても、上記第１実施形態と同様の作用、効果を奏することができる。
【００７２】
また。本実施形態によれば、フィルタ部１４のフィルタ１４ａの下流側の内面に第１電極５１ａおよび第２電極５１ｂを設けている。
【００７３】
ところで、フィルタ１４ａには、図１３に示すように、ヘッド部（洗浄対象物）２２の刃部２２ａによって除去された体毛や皮脂などが堆積しており、フィルタ部１４は、循環路１８のなかでも比較的不衛生な部分である。
【００７４】
しかしながら、本実施形態のように、比較的不衛生な部分であるフィルタ部１４内でオゾンやヒドロキシラジカル等を含む液体を生成すれば、フィルタ部１４内の除菌を行うことができ、においの発生等を抑制することができる。
【００７５】
以上、本発明の好適な実施形態について説明したが、本発明は上記実施形態には限定されず、種々の変形が可能である。
【００７６】
例えば、上記各実施形態では、一対の電極を１箇所に設けたものを例示したが、複数対の電極を同じ部位（例えば、複数対の電極を導入路に設けるなど）や異なる部位（例えば、１対の電極を導入路に、もう１対の電極をフィルタ部に設けるなど）に設けることも可能である。
【００７７】
また、洗浄部や洗浄水貯留部、その他細部のスペック（形状、大きさ、レイアウト等）も適宜に変更可能である。
【符号の説明】
【００７８】
１０，１０Ａ，１０Ｂ，１０Ｃ  洗浄浄化装置
１３  受け皿（洗浄部）
１４  フィルタ部
１６  タンク（洗浄水貯留部）
１７ａ  排出路
１７ｅ  導入路
１８  循環路
１９  液体貯留部
２２  ヘッド部（洗浄対象物）
５１ａ  第１電極（電極）
５１ｂ  第２電極（電極）
【図１】
2013027812.tif 000003
【図２】
2013027812.tif 000004
【図３】
2013027812.tif 000005
【図４】
2013027812.tif 000006
【図５】
2013027812.tif 000007
【図６】
2013027812.tif 000008
【図７】
2013027812.tif 000009
【図８】
2013027812.tif 000010
【図９】
2013027812.tif 000011
【図１０】
2013027812.tif 000012
【図１１】
2013027812.tif 000013
【図１２】
2013027812.tif 000014
【図１３】
2013027812.tif 000015
【図１４】
2013027812.tif 000016
【図１５】
2013027812.tif 000017
【図１６】
2013027812.tif 000018